(57)【要約】【課題】同時記録と変換記録が可能な情報記録装置において、同時記録または変換記録を行っていることをユーザに表示する。【解決手段】２つの映像音声信号を入力する入力手段と、システムを制御する制御手段と、複数の圧縮伸張を行うことが可能な同時圧縮伸張手段と、大容量のメモリ手段と、データを蓄えておく記録媒体手段と、表示手段とからなるカメラ一体型情報記録装置において、同時記録を行っていることがわかる表示３０１、複数の記録媒体の残り容量表示３０２、複数の記録の記録ビットレート表示３０５、記録媒体の種類表示３０６を表示画面３００に表示する。【選択図】        図３
2004274449.tif 000002
【特許請求の範囲】
【請求項１】
複数の映像音声信号を同時に圧縮できる情報記録装置において、
映像・音声などを入力する入力手段と、システムを制御する制御手段と、複数の圧縮伸張を行うことが可能な同時圧縮伸張手段と、大容量のメモリ手段と、データを蓄えておく記録媒体手段とを備え、前記複数の映像音声信号を記録している場合の様々な情報を、ユーザに把握させることが可能な表示手段をもつことを
特徴とする情報記録装置。
【請求項２】
圧縮されたストリームを再圧縮できる情報記録装置において、
映像・音声などを入力する入力手段と、システムを制御する制御手段と、複数の圧縮伸張を行うことが可能な同時圧縮伸張手段と、大容量のメモリ手段と、データを蓄えておく記録媒体手段とを備え、再圧縮中の状態を、ユーザに把握させることが可能な表示手段をもつことを
特徴とする情報記録装置。
【請求項３】
２つの映像音声信号を同時に圧縮できる情報記録装置において、
映像・音声などを入力する入力手段と、システムを制御する制御手段と、複数の圧縮伸張を行うことが可能な同時圧縮伸張手段と、大容量のメモリ手段と、データを蓄えておく記録媒体手段とを備え、同時に前記２つの映像音声信号を同時に記録している状態を、ユーザに把握させることが可能な表示手段をもつことを
特徴とする情報記録装置。
【請求項４】
請求項３における表示手段は、高画質用圧縮と低容量用の圧縮を同時に記録していることをユーザに認識させることが可能な表示を行うことを
特徴とする情報記録装置。
【請求項５】
請求項３における表示手段は、高画質用の記録媒体の残量と低容量用の記録媒体の残量を同時に表示することが可能であることを
特徴とする情報記録装置。
【請求項６】
２つの映像音声信号を同時に圧縮できる情報記録装置において、
映像・音声などを入力する入力手段と、システムを制御する制御手段と、複数の圧縮伸張を行うことが可能な同時圧縮伸張手段と、大容量のメモリ手段と、データを蓄えておく記録媒体手段とを備え、２つの前記映像音声信号を記録している状態を、ユーザに把握させることが可能な表示手段をもつことを
特徴とするカメラ一体型記録装置。
【請求項７】
複数の映像音声信号を同時に圧縮できる情報記録装置における状態表示方法において、
表示手段に、２つの前記映像音声信号を記録している状態をユーザに把握させることを表示することを特徴とする情報記録装置における状態表示方法。
【請求項８】
請求項７記載の情報記録装置における状態表示方法において、
複数の記録媒体の残容量を表示することを特徴とする情報記録装置における情報表示方法。
【請求項９】
請求項７記載の情報記録装置における状態表示方法において、
複数の記録方式の記録ビットレートを表示することを特徴とする情報記録装置における情報表示方法。
【請求項１０】
請求項７記載の情報記録装置における状態表示方法において、
複数の記録媒体の種類を表示することを特徴とする情報記録装置における情報表示方法。
【発明の詳細な説明】
【０００１】
【発明の属する技術分野】
本発明は、異なる圧縮のストリームを容量の異なる複数の記録媒体に同時記録可能な情報記録装置およびこの情報記録装置における状態表示方法に関する。
【０００２】
【従来の技術】
ＤＶ（デジタルビデオ）カメラやＤＶＤ記録型のビデオカメラの記録は、一般的には一つのコンテンツの一つの記録方式で記録しており、同時に複数のコンテンツを異なる記録方式で記録することは行わない。
【０００３】
例えばＤＶカメラの場合、ＤＶ規格に準拠した記録方式で記録するし、ＤＶＤ記録型の場合には、Ｍｐｅｇ２で記録を行う。当然、記録する為のＣｏｄｅｃ（映像音声の圧縮伸長装置）も一つしか搭載していない。その為、記録中の画面表示は、“ＦｉＮＥ”や“ＳＴＤ”などのモード別の表示と共に“●ＲＥＣ”や“●”などのように記録をしているかどうかの表示のみが一般的である。
【０００４】
図１に一般的な記録時におけるモニタ画面上に記録状態を表示した状況を示す。記録する画面１００には、記録状態にあることを表す記録状態マーク１０１と、記録用カウンタと記録媒体の残量を示す記録表示１０２と、撮影日時などを示す撮影時間表示１０３と、動画または静止画などの記録モードを表示する記録モード１０４と、“ＦｉＮＥ”や“ＳＴＤ”などの記録ビットレートの種類を示す記録ビットレート表示１０５と、記録媒体の種類を示す記録媒体表示１０６とが表示される。記録状態マーク１０１は、記録中は、“●ＲＥＣ”が表示され、記録停止中は、“●｜｜”などを表示しておくことが多い。記録モード１０４は、例えば動画記録や静止画記録なのかを表す。記録ビットレート表示１０５は、例えば、ＦＩＮＥモードは、映像ビットレート６Ｍｂｐｓ＋音声ビットレート２５６ｋｂｐｓを意味する。記録媒体表示１０６は、ＤＶＤ−ＲＡＭなどの記録媒体を表す。
【０００５】
図２に、再生するための準備の画面であるナビゲーション画面を示す。ナビゲーション画面２００は、選択されたコンテンツの情報を示すコンテンツ情報表示部２０１と、コンテンツのサムネール２０３と、キー操作説明部２０４が表示される。再生を行う場合は、サムネール２０３を選択してから再生ボタンを押す。
【０００６】
また、ビデオカメラの機能として、Ｍｐｅｇ２による高画質記録と同時に、無線などで伝送する為に圧縮率の高いＭｐｅｇ４との同時記録（デュアルコーディングと呼ぶ）や、媒体上の高画質コンテンツに再圧縮をかけてＭｐｅｇ４へ変換する機能（トランスコードと呼ぶ）が考えられる。このように高画質のコンテンツと容量の軽いコンテンツを生成することで、ビデオカメラで撮影しながらその映像を無線でとばすなど従来にはないリアルタイムでの通信伝送も可能となる。
【０００７】
【発明が解決しようとする課題】
しかし、無線で映像データを配信したりする機能が搭載されたビデオカメラの場合、記録時に同時に２つのコンテンツを記録する必要があるが、今までの表示方法では、どの程度のビットレートで記録しているかはわかるが、何を同時に記録しているかどうかはわからない。これでは、ユーザＩ／Ｆとしては非常に不親切である。そこで、記録状態を表す“●記録”“●”などが同時記録であることがわかるような表示にすれば良い。
【０００８】
また媒体上のストリームに再圧縮をかけて（例えばＭｐｅｇ２からＭｐｅｇ４へ変換する）容量を小さくする場合にもその変換状況（どこまで変換されたか）がわかるような表示をした方がユーザには親切である。
【０００９】
【課題を解決するための手段】
上記課題を達成するために本発明は、
２つの映像音声信号を入力する入力手段と、システムを制御する制御手段と、複数の圧縮伸張を行うことが可能な同時圧縮伸張手段と、大容量のメモリ手段と、データを蓄えておく記録媒体手段と、２つの前記映像音声信号を記録している状態を、ユーザに把握させることが可能な表示手段とからカメラ一体型情報記録装置を構成する。
【００１０】
本発明によって、無線機能搭載のカメラ一体型情報記録装置などの記録装置において、同時記録（デュアルコーディング）を行っていることがわかる表示を行うことによって、ユーザは容易に記録状況を確認でき、また変換記録（トランスコード）の場合には、その変換状態がわかるような表示をすることでユーザはおおよその変換終了時間を把握することができる。
【００１１】
【発明の実施の形態】
本発明の本実施例について、図３から図７を用いて説明する。実施例のシステムとしてデュアルエンコードやトランスコードなどが可能なＤＶＤ−ＲＡＭビデオカメラで説明する。デュアルエンコードとは、例えばＭｐｅｇ２の記録を行いながら、同時にＭｐｅｇ４の記録を行う処理のように、異なる圧縮率で同時に複数の圧縮記録を行う処理をいう。Ｍｐｅｇ２で記録されたものは、ＤＶＤ−ＲＡＭなどの大容量メモリに、また、Ｍｐｅｇ４などは、小容量の半導体メモリ（例えばＳＤカード）などに蓄えられたりする。同時に無線伝送などを行なっても良い。図７に示すＤＶＤ−ＲＡＭビデオカメラは、例えば記録媒体としてＤＶＤ−ＲＡＭとＳＤカードとの２仕様のメモリを使用し、それぞれの記録媒体に対応したインタフェースを有している。さらに、ＤＶＤ−ＲＡＭビデオカメラは、無線伝送の処理部を特に記載していない。
【００１２】
また、トランスコードは、例えばＤＶＤ−ＲＡＭに蓄えられたＭｐｅｇ２のコンテンツを再生しながら、Ｍｐｅｇ４に再エンコードする変換で処理であり、異なる仕様の圧縮処理間の変換であるある。
【００１３】
図３は、本発明の実施例でのデュアルエンコード時の記録表示画面の例である。同図において、記録表示画面１００には、記録状態を示す記録状態表示３０１と、同時に記録されている媒体のそれぞれの記録量と記録媒体の残量を示す記録表示３０２と、撮影日時などの撮影時間表示１０３と、動画であるか静止がであるかなどの記録するモードを示す記録モード表示１０４と、同時記録しているコンテンツのそれぞれの記録ビットレートを示す記録ビットレート表示３０５と、同時記録しているそれぞれの記録媒体を示す記録媒体表示３０６とが表示される。
【００１４】
図４に、図３における記録状態を示す記録状態表示３０１と、同時記録しているコンテンツのそれぞれの記録ビットレートを表示する記録ビットレート表示３０５の別の表示例を示す。記録状態を示す記録状態表示３０１は、同時記録の場合に、“Ｄｕａｌ  ＲＥＣ”の他に、“ＲＥＣ  Ｄｕａｌ”、“Ｄ  ＲＥＣ”、“ＲＥＣ  Ｄ”、“ＲＥＣ  Ｄｕａｌ  Ｅｎｃｏｄｅ”、“Ｄｕａｌ  Ｅｎｃｏｄｅ  ＲＥＣ”などの表示とすることができ、同時記録しているコンテンツのそれぞれの記録ビットレート表示３０５には、“ＭＰＥＧ２：６Ｍ，Ｍｐｅｇ４：３８４ｋ”の他に、“ＭＰＥＧ２：ＦＩＮＥ、ＭＰＥＧ４：ＮＯＭＡＬ”、“ＭＰＥＧ２：Ｄ１、ＭＰＥＧ４：ＱＣＩＦ”などを表示することができる。
【００１５】
図５を用いて、トランスコードを指定する場合のナビゲーション画面の表示例を説明する。ナビゲーション画面５００には、選択されたコンテンツに関する撮影日時、内容、記録媒体の種類などの情報を表示するコンテンツ情報表示部５０１と、選択する処理の内容を示すプルダウンメニュー５０２と、処理の対象となるコンテンツを選択するサムネール５０３と、選択や再生用のキー操作説明部５０４が表示される。プルダウンメニュー５０２は、トランスコードを行う時に選択するメニューである。
【００１６】
図６を用いて、図５におけるプルダウンメニュー５０２からトランスコードを選択した場合の、トランスコード中を表示した再生画面を説明する。再生画面６００には、例えば変換元のＭｐｅｇ２の再生画面が表示され、さらにトランスコードにおける進行状況を示すプログレスバー６０２を含む例えばＭＰＥＧ２からＭＰＥＧ４へのトランスコード中であることを確認させる表示画面６０１が表示され、さらに、再生元の情報、例えば動画であるか静止がであるか、サムネール番号、再生元や変換先の記録媒体の種別、再生元のカウンタなどの情報が再生元情報表示部６０３に、撮影日時や時刻などの時計が撮影時計表示部６０４に表示される。
【００１７】
図７を用いて、デュアルエンコードとトランスコードを行うことができる本発明にかかるビデオカメラのシステム構成の概要を説明する。
【００１８】
本発明にかかるビデオカメラは、入力部７０１と、制御部７０２と、同時圧縮伸張部７０３と、メモリ７０４と、記録媒体７０５と、表示部７００を有して構成される。
【００１９】
入力部７０１は、映像や音声などの入力部であり、レンズやＣＣＤ、マイクなどで構成され、必要に応じてカメラ信号処理も行う。制御部７０２は、ＣＰＵなどの全体を制御する。同時圧縮伸張部７０３は、デュアルエンコードやトランスコードを行うことが可能な同時圧縮伸張処理を行う。メモリ７０４は、デュアルエンコード処理やトランスこド処理時に処理データを一時格納するバッファメモリとして働く大容量メモリである。記録媒体７０５は、圧縮データを蓄えておく記録媒体であり、ＤＶＤ−ＲＡＭ（ＤＶＤ−Ｒ，でもＤＶＤ−ＲＷでも構わない）や半導体メモリ（例えばＳＤカード）で構成される。表示部７００は、記録時、再生時ともに（ＬＣＤ）モニタなどに映像などを表示する表示部である。図には示していないが、映像を外部のモニタにも出力できるようすることができる。
【００２０】
このビデオカメラにおいて、まず、デュアルエンコード時の処理について説する。ユーザがデュアルエンコードを指示すると（特に図示していないが、ボタンなどの操作部を利用して指示する）、入力部７０１から入力された映像音声信号は、必要な信号処理を施され、制御部７０２によって、同時圧縮伸張部７０３に送られる。同時圧縮伸張部７０３では、Ｍｐｅｇ２の記録とＭｐｅｇ４の同時記録を行う。それぞれの生成されたデータを一旦メモリ７０４に蓄えた後、記録媒体７０５であるＤＶＤ−ＲＡＭや半導体メモリに記録する。（ここには示していないが、Ｍｐｅｇ４のデータは、メモリ７０４に蓄えず直接リアルタイムで伝送しても良い。）
【００２１】
このように同じ入力信号に対して記録モードが異なる場合、図１のような現状の表示方法だとどのような組合せで記録しているかが分からない。そこで、図３の３０１で示すように同時記録していることをわかるように”Ｄｕａｌ”などの表示を追加すればよい。これは、例えば３本以上の記録を行う場合には、Ｔｒｉｐｌｅなど何本記録しているかわかるような表示にすれば良い。また、表示範囲やデザインの関係から図４の４０１から４０５のような表示にしても良い。また３０５は、デュアルエンコード時のそれぞれの記録ビットレートを表しているが、４０６、４０７のように表示しても良いし、組み合わせても良い。ここで４０６のＦＩＮＥは６Ｍｂｐｓ、ＮＯＭＡＬは３８４ｋｐｂｓをあらわし、４０７のＤ１は７２０Ｘ４８０、ＱＣＩＦは１７６×１４４というような画像サイズをあらわす。また３０２は、図１の１０２のカウンタと残量表示に対応するものである。また、２つの媒体に同時に記録しているので、３０２にようにそれぞれの媒体に対する残量も表示したほうが良い。３０２では、ＤＶＤ−ＲＡＭとＳＤカードの残量を示している。
【００２２】
最初からデュアルエンコードするビットレートやサイズが固定ならば１０５Ｆｉｎｅの代わりにＤｕａｌｍｏｄｅという表示にし、３０１は“●ＲＥＣ”としても良いかもしれない。同時にどんな仕様で記録されているかが分かるような表示方法であれば、図３、図４以外の表示内容、表示方法に特にこだわる必要はない。
【００２３】
次に、トランスコード時の処理について説明する。ユーザは図１のように一番左上のサムネールを選択した状態で、図５に示すようにナビ画面上で（図示していない操作ボタンを利用して）プルダウンメニューを出す。そこでトランスコードを選択すると、図６の６０１の画面が表示され、Ｍｐｅｇ２からＭｐｅｇ４への変換が開始される。実際には、記録媒体７０５上にあるＭｐｅｇ２のコンテンツが制御部７０２によって、同時圧縮伸張部７０３におくられる。そこでＭｐｅｇ２からＭｐｅｇ４に再圧縮を行う。ここでは、Ｍｐｅｇ２からＭｐｅｇ４に再圧縮した例を出したが、高画質のコンテンツを低容量のコンテンツに変換することができるのであれば、特にＭｐｅｇ２とＭｐｅｇ４にこだわることは無い。再圧縮されたコンテンツは、一旦メモリ７０４を経由して、記録媒体７０５に記録されていく。その時の変換状況を６０２のプログレスバーのように更新状況を表示することができれば、ユーザは変換の終了時間が予測でき便利である。
【００２４】
以上、説明したように、同時記録（デュアルコーディング）を行っていることがわかる表示を行うことによって、ユーザは容易に記録状況を確認でき、また変換記録（トランスコード）の場合には、その変換状態がわかるような表示をすることでユーザはおおよその変換終了時間を把握することができる。
【００２５】
【発明の効果】
本発明によって、情報記録装置において、同時記録（デュアルコーディング）を行っていることがわかる表示を行うことによって、ユーザは容易に記録内容や状況を確認でき、また変換記録（トランスコード）の場合には、その変換状態がわかるような表示をすることでユーザはおおよその変換終了時間を把握することができる。
【図面の簡単な説明】
【図１】従来の記録画面を説明する図。
【図２】従来のナビゲーション画面を説明する図。
【図３】同時記録する場合の画面を説明する図。
【図４】同時記録を確認する表示の例と記録モードを表示する例。
【図５】トランスコードを指定する画面を説明する図。
【図６】トランスコードの進行状況を説明する図。
【図７】本実施例のシステム構成の概要を説明する図。
【符号の説明】
１００  記録画面
１０１  記録状態表示部
１０２  カウンタと残量を示す表示部
１０３  撮影時間表示部
１０４  動画、静止画モード表示部
１０５  記録モード表示部
１０６  記録媒体表示部
２００  ナビゲーション画面
２０１  情報表示部
２０３  サムネール
２０４  操作説明部
３０１  記録状態表示部
３０２  残量表示部
３０５  ビットレート表示部
３０６  記録媒体表示部
５００  ナビゲーション画面
５０１  情報表示部
５０２  プルダウンメニュー部
５０３  サムネール
５０４  操作説明部
６００  再生画面
６０１  変換表示部
６０２  変換更新表示部
６０３  情報表示部
６０４  撮影時間表示部
７００  表示部
７０１  入力部
７０２  制御部
７０３  同時圧縮伸張部
７０４  メモリ部
７０５  記録媒体部
【図１】
2004274449.tif 000003
【図２】
2004274449.tif 000004
【図３】
2004274449.tif 000005
【図４】
2004274449.tif 000006
【図５】
2004274449.tif 000007
【図６】
2004274449.tif 000008
【図７】
2004274449.tif 000009